(57)【特許請求の範囲】
【請求項１】
並設された複数の緊張材を有すると共に先端部分（以下、「アンカー体長部」とする）では前記複数の緊張材がグラウト材で固められた状態であり中間部分（以下、「自由長部」とする）では該複数の緊張材がグラウト材で固められずに該緊張材の可撓性が保持された状態であるアンカーテンドンであって、前記自由長部が巻き取りリールに巻き取られていると共に前記アンカー体長部が該巻き取りリールから突出されているアンカーテンドンを、被補強体に穿設されたアンカー孔に挿入する、アンカーテンドンの挿入方法において、
前記巻き取りリールから突出されている前記アンカー体長部の少なくとも一部に長尺の剛性部材（以下、「先端部支持体」とする）を装着して該アンカー体長部の少なくとも一部を保護する工程と、
前記アンカー体長部を前記先端部支持体と共に引き出すことにより前記自由長部を前記巻き取りリールから引っ張り出す工程と、
該巻き取りリールから引っ張り出された前記自由長部の少なくとも一部に、撓みが所定の曲率半径以下にならないように構成された長尺の可撓性部材（以下、「中間部支持体」とする）を装着して該自由長部の少なくとも一部を保護する工程と、
該中間部支持体を前記先端部支持体に連結する工程と、
前記アンカー孔の上方であって略鉛直な状態に前記先端部支持体を着脱可能に保持する先端部支持体受け部と、前記中間部支持体を着脱可能に保持する中間部支持体受け部と、を有するアンカーテンドン基台を前記アンカー孔の近傍に配置する工程と、
前記先端部支持体及び前記中間部支持体を介して前記アンカーテンドンを前記アンカーテンドン基台まで搬送する工程と、
前記アンカー体長部の先端が前記アンカー孔に対向するように前記先端部支持体を前記先端部支持体受け部に保持させると共に、前記中間部支持体を前記中間部支持体受け部に保持させる工程と、
前記アンカー体長部及び前記自由長部を前記先端部支持体及び前記中間部支持体に沿って移動させながら順次前記アンカー孔に挿入する工程と、
を備えたことを特徴とする、アンカーテンドンの挿入方法。
【請求項２】
前記中間部支持体は、その長手方向に移動可能となるように前記自由長部の少なくとも一部を支持するガイド部（以下、「中間部側ガイド部」とする）、を上面に有し、
前記先端部支持体は、その長手方向に前記アンカー体長部が移動可能となるように、前記自由長部における前記中間部支持体に支持された側の面に連続する前記アンカー体長部の面を支持するガイド部（以下、「先端部側ガイド部」とする）、を有し、
前記中間部支持体と前記先端部支持体との連結部は、それらの支持体が所定角以上に屈曲しないように構成された、
ことを特徴とする、請求項１に記載のアンカーテンドンの挿入方法。
【請求項３】
前記先端部支持体は鋼材であり、
前記先端部側ガイド部は、前記アンカー体長部の少なくとも一部を収容する溝部である、
ことを特徴とする請求項１又は２に記載の、アンカーテンドンの挿入方法。
【請求項４】
前記中間部支持体は、一対の外リンクプレートの端部をピンで連結した外リンクと、端部が該ピンにより回転可能に支持された一対の内リンクプレートにより構成される内リンクと、が交互に配置されて構成され、
前記外リンクプレート及び前記内リンクプレートの内の一方のリンクプレートの側には、他方のリンクプレートの側に突出される突出部が形成され、
該他方のリンクプレートの側には、前記一方のリンクプレートが前記ピンを中心として正逆両方向に回転したそれぞれの場合に前記突出部に当接される２つの当接部が形成され、
前記突出部及び前記２つの当接部によって、前記外リンクプレート及び前記内リンクプレートの所定角以上の相対回転が制限される、
ことを特徴とする請求項１乃至３のいずれか１項に記載の、アンカーテンドンの挿入方法。
【請求項５】
並設された複数の緊張材を有すると共にアンカー体長部では前記複数の緊張材がグラウト材で固められた状態であり自由長部では該複数の緊張材がグラウト材で固められずに該緊張材の可撓性が保持された状態であるアンカーテンドンを支持するアンカーテンドン支持ユニットにおいて、
撓みが所定の曲率半径以下にならないように構成された長尺の可撓性部材であって、その長手方向に移動可能となるように前記自由長部の少なくとも一部を支持する中間部側ガイド部を上面に有する中間部支持体と、
前記中間部支持体に連結された長尺の剛性部材であって、前記自由長部における前記中間部支持体に支持された側の面に連続する前記アンカー体長部の面を支持する先端部側ガイド部を有する先端部支持体と、
を備え、
前記中間部支持体と前記先端部支持体との連結部は、それらの支持体が所定角以上に屈曲しないように構成された、
ことを特徴とするアンカーテンドン支持ユニット。
【請求項６】
前記先端部支持体は鋼材であり、
前記先端部側ガイド部は、前記アンカー体長部の少なくとも一部を収容する溝部である、
ことを特徴とする請求項５に記載のアンカーテンドン支持ユニット。
【請求項７】
前記中間部支持体は、一対の外リンクプレートの端部をピンで連結した外リンクと、端部が該ピンにより回転可能に支持された一対の内リンクプレートにより構成される内リンクと、が交互に配置されて構成され、
前記外リンクプレート及び前記内リンクプレートの内の一方のリンクプレートの側には、他方のリンクプレートの側に突出される突出部が形成され、
該他方のリンクプレートの側には、前記一方のリンクプレートが前記ピンを中心として正逆両方向に回転したそれぞれの場合に前記突出部に当接される２つの当接部が形成され、
前記突出部及び前記２つの当接部によって、前記外リンクプレート及び前記内リンクプレートの所定角以上の相対回転が制限される、
ことを特徴とする請求項５又は６に記載のアンカーテンドン支持ユニット。
【請求項８】
前記中間部支持体のピンは、前記一対の外リンクプレートの両外側に突出するように配置され、該突出した部分を介して該中間部支持体が支持されるように構成された、
ことを特徴とする請求項７に記載のアンカーテンドン支持ユニット。
【請求項９】
前記中間部支持体のピンであって前記一対の外リンクプレートの両外側に突出した部分の周方向に沿って窪み部が形成され、該窪み部を支持することによって前記中間部支持体の位置が規定されるように構成された、
ことを特徴とする請求項８に記載のアンカーテンドン支持ユニット。
【請求項１０】
前記先端部支持体は、前記中間部支持体のピンが突出される方向と略平行な方向に突出された突起部をその両側面にそれぞれ有し、該突起部を介して前記先端部支持体が支持されるように構成された、
ことを特徴とする請求項８又は９に記載のアンカーテンドン支持ユニット。
【請求項１１】
前記中間部支持体と前記先端部支持体との連結部は、それらの支持体の相対回転を許容するピン部材と、それらの支持体の所定角以上の相対回転を制限するストッパ機構と、からなる、
ことを特徴とする請求項５乃至１０のいずれか１項に記載のアンカーテンドン支持ユニット。
【請求項１２】
請求項１０に記載のアンカーテンドン支持ユニットを着脱可能に保持するアンカーテンドン基台において、
前記中間部支持体のピンであって前記一対の外リンクプレートの両外側に突出した部分を着脱可能に保持する中間部支持体受け部と、
前記突起部を介して前記先端部支持体を、略鉛直な状態であって着脱可能に保持する先端部支持体受け部と、
を備えたことを特徴とするアンカーテンドン基台。
【請求項１３】
前記中間部支持体受け部は、前記中間部支持体のピンであって前記一対の外リンクプレートの両外側に突出した部分を受けるように構成された凹部であり、
前記先端部支持体受け部は、前記突起部を受けるように構成された凹部である、
ことを特徴とする請求項１２に記載のアンカーテンドン基台。
【請求項１４】
前記突起部を受ける前記先端部支持体受け部の凹部の面は、一方が高くて他方が低くなるように傾斜して形成された面であり、前記先端部支持体の前記突起部が該面に沿って摺動するように構成された、
ことを特徴とする請求項１３に記載のアンカーテンドン基台。
【請求項１５】
前記中間部支持体受け部である凹部を設ける間隔は、前記中間部支持体のピンを設ける間隔の整数分の１である、
ことを特徴とする請求項１３又は１４に記載のアンカーテンドン基台。
【発明の詳細な説明】
【技術分野】
【０００１】
本発明は、被補強体に穿設されたアンカー孔にアンカーテンドンを挿入するアンカーテンドンの挿入方法、該アンカーテンドンを支持するアンカーテンドン支持ユニット、及び該アンカーテンドン支持ユニットを着脱可能に保持するアンカーテンドン基台に関する。
【背景技術】
【０００２】
従来、ダムや防波堤や防潮堤などのコンクリート構造物等の被補強体を補強する方法として、アンカーテンドンを使った補強方法が知られている（例えば、特許文献１参照）。
【０００３】
そして、被補強体に穿設されたアンカー孔にアンカーテンドンを挿入する方法についても幾つかの方法が提案されている（例えば、特許文献２参照）。
【０００４】
図１０は、アンカーテンドンをアンカー孔に挿入する従来方法の一例を示す模式図であって、符号１００は、被補強体であるコンクリートダムを示し、符号１００ａは、該コンクリートダム１００に穿設されている多数のアンカー孔を示し、符号１０３は、該アンカー孔１００ａに挿入されるアンカーテンドンを示し、符号１０４は、該アンカーテンドン１０３を案内するためにクレーン１０５で吊り下げられた滑車を示す。この図示の例では、アンカーテンドン１０３は、前記滑車１０４に案内されて前記アンカー孔１００ａに挿入されるようになっている。
【０００５】
なお、このようなアンカーテンドンにはボンドタイプのものとアンボンドタイプのものとがあり、アンボンドタイプのものは、設置後も必要に応じて再緊張できるという特徴を有している。また、アンボンドタイプのアンカーテンドンの場合、作業性等の種々の理由から、その先端部分（つまり、アンカー孔の底部領域に固定されるアンカー体長部）へのグラウト材の注入を、該アンカーテンドンをアンカー孔に挿入する前に行うことがある。
【先行技術文献】
【特許文献】
【０００６】
【特許文献１】特開２０１０−１６３８１８号公報
【特許文献２】特開２０１０−１６３８１９号公報
【発明の概要】
【発明が解決しようとする課題】
【０００７】
しかしながら、上述のようにアンカー孔に挿入する前の時点で先端部分（アンカー体長部）にグラウト材を注入する場合、該先端部分（アンカー体長部）では複数の緊張材がグラウト材で固められた状態であり、中間部分（自由長部）では複数の緊張材がグラウト材で固められずに可撓性が維持された状態であるため、図１０に示すようにクレーン１０５で吊り上げた滑車１０４で該アンカーテンドンを前記アンカー孔１００ａに挿入しようとすると、前記アンカー体長部と前記自由長部との境界部分が許容半径以下に折り曲げられてしまって、該境界部分（例えば、シース管のパッキンの部分）が破損してしまうというおそれがあった。
【０００８】
本発明は、上述の問題を解消することのできるアンカーテンドンの挿入方法、アンカーテンドン支持ユニット、及びアンカーテンドン基台を提供することを目的とするものである。
【課題を解決するための手段】
【０００９】
請求項１に係る発明は、図１(ａ) (ｂ) に例示するものであって、並設された複数の緊張材（Ａ，…）を有すると共に先端部分（以下、「アンカー体長部」とする）（３０）では前記複数の緊張材（Ａ，…）がグラウト材（Ｂ）で固められた状態であり中間部分（以下、「自由長部」とする）（３１）では該複数の緊張材（Ａ，…）がグラウト材（Ｂ）で固められずに該緊張材（Ａ，…）の可撓性が保持された状態であるアンカーテンドン（３）であって、前記自由長部（３１）が巻き取りリール（図２(ａ)
(ｂ) の符号Ｃ参照）に巻き取られていると共に前記アンカー体長部（３０）が該巻き取りリール（Ｃ）から突出されているアンカーテンドン（３）を、被補強体（１）に穿設されたアンカー孔（１ａ）に挿入する、アンカーテンドンの挿入方法において、
前記巻き取りリール（Ｃ）から突出されている前記アンカー体長部（３０）の少なくとも一部に長尺の剛性部材（以下、「先端部支持体」とする）（４０）を装着して該アンカー体長部（３０）の少なくとも一部を保護する工程（図２(ａ) 参照）と、
前記アンカー体長部（３０）を前記先端部支持体（４０）と共に引き出すことにより前記自由長部（３１）を前記巻き取りリール（Ｃ）から引っ張り出す工程（図２(ｂ) の矢印Ｆ参照）と、
該巻き取りリール（Ｃ）から引っ張り出された前記自由長部（３１）の少なくとも一部に、撓みが所定の曲率半径以下にならないように構成された長尺の可撓性部材（以下、「中間部支持体」とする）（４１）を装着して該自由長部（３１）の少なくとも一部を保護する工程（図３(ａ) 参照）と、
該中間部支持体（４１）を前記先端部支持体（４０）に連結する工程と、
前記アンカー孔（１ａ）の上方であって略鉛直な状態に前記先端部支持体（４０）を着脱可能に保持する先端部支持体受け部（図５(ｂ) の符号５０参照）と、前記中間部支持体（４１）を着脱可能に保持する中間部支持体受け部（５１）と、を有するアンカーテンドン基台（５）を前記アンカー孔（１ａ）の近傍に配置する工程（図３(ｂ)
参照）と、
前記先端部支持体（４０）及び前記中間部支持体（４１）を介して前記アンカーテンドン（３）を前記アンカーテンドン基台（５）まで搬送する工程（図３(ｂ) 参照）と、
前記アンカー体長部（３０）の先端が前記アンカー孔（１ａ）に対向するように前記先端部支持体（４０）を前記先端部支持体受け部（５０）に保持させると共に、前記中間部支持体（４１）を前記中間部支持体受け部（５１）に保持させる工程（図４(ａ) 参照）と、
前記アンカー体長部（３０）及び前記自由長部（３１）を前記先端部支持体（４０）及び前記中間部支持体（４１）に沿って移動させながら順次前記アンカー孔（１ａ）に挿入する工程（図４(ｂ) 参照）と、を備えたことを特徴とする。
【００１０】
請求項２に係る発明は、請求項１に係る発明において、図６(ａ) に例示するように、前記中間部支持体（４１）が、その長手方向に移動可能となるように前記自由長部（３１）の少なくとも一部を支持するガイド部（以下、「中間部側ガイド部」とする）（４１ａ）、を上面に有し、
図６(ｂ) に例示するように、前記先端部支持体（４０）が、その長手方向に前記アンカー体長部（３０）が移動可能となるように、前記自由長部（３１）における前記中間部支持体（４１）に支持された側の面に連続する前記アンカー体長部（３０）の面を支持するガイド部（以下、「先端部側ガイド部」とする）（４０ａ）、を有し、
前記中間部支持体（４１）と前記先端部支持体（４０）との連結部（図９(ａ) の符号Ｄ参照））が、それらの支持体（４０，４１）が所定角以上に屈曲しないように構成されたことを特徴とする。
【００１１】
請求項３に係る発明は、請求項１又は２に係る発明において、前記先端部支持体（４０）が鋼材であり、
前記先端部側ガイド部（４０ａ）が、前記アンカー体長部（３０）の少なくとも一部を収容する溝部であることを特徴とする。
【００１２】
請求項４に係る発明は、請求項１乃至３のいずれか１項に記載の発明において、図７(ａ) 及び(ｂ) に例示するように、前記中間部支持体（４１）が、一対の外リンクプレート（４１０）の端部をピン（４１１）で連結した外リンク（４１Ａ）と、端部が該ピン（４１１）により回転可能に支持された一対の内リンクプレート（４１２）により構成される内リンク（４１Ｂ）と、が交互に配置されて構成され、
前記外リンクプレート（４１０）及び前記内リンクプレート（４１２）の内の一方のリンクプレート（４１０又は４１２）の側には、他方のリンクプレート（４１２又は４１０）の側に突出される突出部（４１３）が形成され、
該他方のリンクプレート（４１２又は４１０）の側には、前記一方のリンクプレート（４１０又は４１２）が前記ピン（４１１）を中心として正逆両方向（±Ｅ）に回転したそれぞれの場合に前記突出部（４１３）に当接される２つの当接部（４１４ａ，４１４ｂ）が形成され、
前記突出部（４１３）及び前記２つの当接部（４１４ａ，４１４ｂ）によって、前記外リンクプレート（４１０）及び前記内リンクプレート（４１２）の所定角以上の相対回転が制限されることを特徴とする。
【００１３】
請求項５に係る発明は、図１(ａ) (ｂ) に例示するものであって、並設された複数の緊張材（Ａ，…）を有すると共にアンカー体長部（３０）では前記複数の緊張材（Ａ，…）がグラウト材（Ｂ）で固められた状態であり自由長部（３１）では該複数の緊張材（Ａ，…）がグラウト材（Ｂ）で固められずに該緊張材（Ａ，…）の可撓性が保持された状態であるアンカーテンドン（３）を支持するアンカーテンドン支持ユニット（図２(ｂ)
の符号４参照）において、
撓みが所定の曲率半径以下にならないように構成された長尺の可撓性部材であって、その長手方向に移動可能となるように前記自由長部（３１）の少なくとも一部を支持する中間部側ガイド部（図６(ａ) の符号４１ａ参照）を上面に有する中間部支持体（４１）と、
前記中間部支持体（４１）に連結された長尺の剛性部材であって、前記自由長部（３１）における前記中間部支持体（４１）に支持された側の面に連続する前記アンカー体長部（３０）の面を支持する先端部側ガイド部（図６(ｂ) の符号４０ａ参照）を有する先端部支持体（４０）と、
を備え、
前記中間部支持体（４１）と前記先端部支持体（４０）との連結部（図９(ａ) の符号Ｄ参照）が、それらの支持体（４０，４１）が所定角以上に屈曲しないように構成されたことを特徴とする。
【００１４】
請求項６に係る発明は、請求項５に係る発明において、前記先端部支持体（４０）が鋼材であり、
前記先端部側ガイド部（４０ａ）が、前記アンカー体長部（３０）の少なくとも一部を収容する溝部であることを特徴とする。
【００１５】
請求項７に係る発明は、請求項５又は６に記載の発明において、図７(ａ) 及び(ｂ) に例示するように、前記中間部支持体（４１）が、一対の外リンクプレート（４１０）の端部をピン（４１１）で連結した外リンク（４１Ａ）と、端部が該ピン（４１１）により回転可能に支持された一対の内リンクプレート（４１２）により構成される内リンク（４１Ｂ）と、が交互に配置されて構成され、
前記外リンクプレート（４１０）及び前記内リンクプレート（４１２）の内の一方のリンクプレート（４１０又は４１２）の側には、他方のリンクプレート（４１２又は４１０）の側に突出される突出部（４１３）が形成され、
該他方のリンクプレート（４１２又は４１０）の側には、前記一方のリンクプレート（４１０又は４１２）が前記ピン（４１１）を中心として正逆両方向（±Ｅ）に回転したそれぞれの場合に前記突出部（４１３）に当接される２つの当接部（４１４ａ，４１４ｂ）が形成され、
前記突出部（４１３）及び前記２つの当接部（４１４ａ，４１４ｂ）によって、前記外リンクプレート（４１０）及び前記内リンクプレート（４１２）の所定角以上の相対回転が制限されることを特徴とする。
【００１６】
請求項８に係る発明は、請求項７に記載の発明において、図６(ａ) 及び図７(ｂ) に例示するように、前記中間部支持体（４１）のピン（４１１）が、前記一対の外リンクプレート（４１０）の両外側に突出するように配置され、該突出した部分（４１１ａ）を介して該中間部支持体（４１）が支持されるように構成されたことを特徴とする。
【００１７】
請求項９に係る発明は、請求項８に係る発明において、図６(ａ) に例示するように、前記中間部支持体（４１）のピン（４１１）であって前記一対の外リンクプレート（４１０）の両外側に突出した部分（４１１ａ）の周方向に沿って窪み部（４１１ｂ）が形成され、該窪み部（４１１ｂ）を支持することによって前記中間部支持体（４１）の位置が規定されるように構成されたことを特徴とする。
【００１８】
請求項１０に係る発明は、請求項８又は９に係る発明において、図６(ｂ) に例示するように、前記先端部支持体（４０）が、前記中間部支持体（４１）のピン（４１１）が突出される方向と略平行な方向に突出された突起部（４０１）をその両側面にそれぞれ有し、該突起部（４０１）を介して前記先端部支持体（４０）が支持されるように構成されたことを特徴とする。
【００１９】
請求項１１に係る発明は、請求項５乃至１０のいずれか１項に記載の発明において、前記中間部支持体（４１）と前記先端部支持体（４０）との連結部（Ｄ）が、それらの支持体（４０，４１）の相対回転を許容するピン部材（不図示）と、それらの支持体（４０，４１）の所定角以上の相対回転を制限するストッパ機構（不図示）と、からなることを特徴とする。
【００２０】
請求項１２に係る発明は、請求項１０に記載のアンカーテンドン支持ユニット（４）を着脱可能に保持するアンカーテンドン基台（５）において、
前記中間部支持体（４１）のピン（４１１）であって前記一対の外リンクプレート（４１０）の両外側に突出した部分（４１１ａ）を着脱可能に保持する中間部支持体受け部（図６(ａ) 及び図８の符号５１参照）と、
前記突起部（４０１）を介して前記先端部支持体（４０）を、略鉛直な状態であって着脱可能に保持する先端部支持体受け部（図５(ｂ) 及び図９(ａ) (ｂ) の符号５０参照）と、を備えたことを特徴とする。
【００２１】
請求項１３に係る発明は、請求項１２に係る発明において、前記中間部支持体受け部（５１）が、前記中間部支持体（４１）のピン（４１１）であって前記一対の外リンクプレート（４１０）の両外側に突出した部分を受けるように構成された凹部であり、
前記先端部支持体受け部（５０）が、前記突起部（４０１）を受けるように構成された凹部であることを特徴とする。
【００２２】
請求項１４に係る発明は、請求項１３に係る発明において、前記突起部（４０１）を受ける前記先端部支持体受け部（５０）の凹部の面が、一方が高くて他方が低くなるように傾斜して形成された面であり、前記先端部支持体（４０）の前記突起部（４０１）が該面に沿って摺動するように構成されたことを特徴とする。
【００２３】
請求項１５に係る発明は、請求項１３又は１４に係る発明において、図８に例示するように、前記中間部支持体受け部（５１）である凹部を設ける間隔（ｐ１）が、前記中間部支持体（４１）のピン（４１１）を設ける間隔（ｐ２）の整数分の１であることを特徴とする。
【００２４】
なお、括弧内の番号などは、図面における対応する要素を示す便宜的なものであり、従って、本記述は図面上の記載に限定拘束されるものではない。
【発明の効果】
【００２５】
請求項１、３及び４に係る発明によれば、前記アンカー体長部は前記先端部支持体により保護され、前記自由長部は前記中間部支持体により保護されているので、該アンカー体長部及び該自由長部の損傷を防止できる。また、これらの先端部支持体及び中間部支持体は連結されているので、前記アンカー体長部と前記自由長部との境界部分の損傷も防止することができる。
【００２６】
請求項２に係る発明によれば、前記自由長部は前記中間部側ガイド部に沿って移動し前記アンカー体長部は前記先端部側ガイド部に沿って移動するのでアンカーテンドンを円滑にアンカー孔に挿入することができる。また、前記先端部支持体と前記中間部支持体との連結部が所定角以上に屈曲しないように構成されているので、前記アンカー体長部と前記自由長部との境界部分の損傷も防止することができる。
【００２７】
請求項５乃至８，１０及び１１に係る発明によれば、前記アンカー体長部は前記先端部支持体により保護され、前記自由長部は前記中間部支持体により保護されているので、該アンカー体長部及び該自由長部の損傷を防止できる。また、前記先端部支持体と前記中間部支持体との連結部が所定角以上に屈曲しないように構成されているので、前記アンカー体長部と前記自由長部との境界部分の損傷も防止することができる。
【００２８】
請求項９に係る発明によれば、前記中間部支持体の位置（つまり、ピンの突出方向の位置）が規定されて横ずれを防止できる。
【００２９】
請求項１２乃至１５に係る発明によれば、前記アンカーテンドンに損傷を与えないで前記アンカーテンドン支持ユニットを簡単に設置することができる。
【図面の簡単な説明】
【００３０】
【図１】図１(ａ) は、アンカーテンドンをアンカー孔に挿入した状態の一例及びアンカーテンドンの構造の一例を示す縦断面図であり、同図(ｂ) は、アンカー体長部の構造の一例を示す横断面図である。
【図２】図２(ａ) (ｂ) は、アンカーテンドンを挿入する工程の一例を示す模式図である。
【図３】図３(ａ) (ｂ) は、アンカーテンドンを挿入する工程の一例を示す模式図である。
【図４】図４(ａ) (ｂ) は、アンカーテンドンを挿入する工程の一例を示す模式図である。
【図５】図５(ａ) は、アンカーテンドン基台に保持されたアンカーテンドン等を示す正面図であり、同図(ｂ) は、その側面図である。
【図６】図６(ａ) は、自由長部の支持の状態の一例を示す断面図であり、同図(ｂ) は、アンカー体長部の支持の状態の一例を示す断面図である。
【図７】図７(ａ) は、中間部支持体の構造の一例を示す側面図であり、同図(ｂ) は、その平面図である。
【図８】図８は、中間部支持体受け部の構造の一例を示す側面図である。
【図９】図９(ａ) (ｂ) は、先端部支持体を先端部支持体受け部に装着する様子の一例を示す側面図である。
【図１０】図１０は、アンカーテンドンをアンカー孔に挿入する従来方法の一例を示す模式図である。
【発明を実施するための形態】
【００３１】
以下、図１乃至図９に沿って、本発明の実施の形態について説明する。
【００３２】
本発明に係るアンカーテンドンの挿入方法は、図１(ａ) に例示するように、被補強体（例えば、ダムや防波堤などのコンクリート構造物等）１に穿設されたアンカー孔１ａにアンカーテンドン３を挿入する方法である。そして、該方法により挿入するアンカーテンドン３は、並設された複数の緊張材（つまり、束を形成するように並べて設けられた複数のストランド）Ａ，…を有しており、その先端部分（本明細書においては「アンカー体長部」とする）３０では、図１(ｂ)
に詳示するように、前記複数の緊張材Ａ，…の隙間にグラウト材Ｂが充填されていて該複数の緊張材Ａ，…が該グラウト材Ｂで固められた状態であり、中間部分（本明細書においては「自由長部」とする）３１では、該複数の緊張材Ａ，…がグラウト材Ｂで固められずに該緊張材Ａ，…の可撓性が保持された状態となっている。そして、前記自由長部３１は巻き取りリール（図２(ａ)
(ｂ) の符号Ｃ参照）に巻き取られた状態となっており、前記アンカー体長部３０は、該巻き取りリールＣに巻き取られずに該リールＣから突出された状態となっている。前記アンカー体長部３０のプレグラウトは工場で行っても現場で行っても良いが、前記アンカーテンドン３を搬送する場合には、図２(ａ)
に符号７で示すコンテナを用いると良い。
【００３３】
また、本発明に係るアンカーテンドンの挿入方法は、以下の工程を有している。すなわち、
（１）  図２(ａ) に示すように、前記巻き取りリールＣから突出されている前記アンカー体長部３０の少なくとも一部に長尺の剛性部材（クレーンで吊り上げた際にグラウトで固められたアンカー体長部に影響が生じない十分な剛性部材。本明細書においては「先端部支持体」とする）４０を装着して該アンカー体長部３０の少なくとも一部を保護する工程
（２）  図２(ｂ) に矢印Ｆで示すように、前記アンカー体長部３０を前記先端部支持体４０と共に引き出すことにより前記自由長部３１を前記巻き取りリールＣから引っ張り出す工程
（３）  図２(ｂ) に示すように、該巻き取りリールＣから引っ張り出された前記自由長部３１の少なくとも一部に、撓みが所定の曲率半径以下にならないように構成された長尺の可撓性部材（本明細書においては「中間部支持体」とする）４１を装着して該自由長部３１の少なくとも一部を保護する工程
（４）  該中間部支持体４１を前記先端部支持体４０に連結する工程
（５）  図５(ｂ) に示すように、該先端部支持体４０を着脱可能に保持する先端部支持体受け部５０と、該中間部支持体４１を着脱可能に保持する中間部支持体受け部５１と、を有するアンカーテンドン基台５を、図３(ｂ)
に示すように前記アンカー孔１ａの近傍に配置する工程
（６）  図３(ａ) (ｂ) に示すように、前記先端部支持体４０及び前記中間部支持体４１を介して前記アンカーテンドン３を前記アンカーテンドン基台５まで搬送する工程（つまり、前記先端部支持体４０及び前記中間部支持体４１をクレーン等で吊り上げて前記アンカーテンドン３を前記アンカーテンドン基台５まで搬送する工程）
（７）  図４(ａ) 及び図５(ａ) (ｂ) に示すように、前記アンカー体長部３０の先端（下端）が前記アンカー孔１ａに対向するように（つまり、前記先端部支持体４０が前記アンカー孔１ａの上方で略鉛直な状態となるように）前記先端部支持体４０を前記先端部支持体受け部５０に保持させると共に、前記中間部支持体４１を前記中間部支持体受け部５１に保持させる工程
（８）  図４(ｂ) に示すように、前記アンカー体長部３０及び前記自由長部３１を前記先端部支持体４０及び前記中間部支持体４１に沿って移動させながら順次前記アンカー孔１ａに挿入する工程
【００３４】
なお、上記（１）（２）（３）の各工程はその順序で実施する必要があり、上記（５）（６）（７）（８）の各工程もその順序で実施する必要があり、上記（１）〜（４）の工程は上記（６）の工程を実施する前に実施しておく必要がある。また、上記（４）の工程は、上記（３）と（５）の間で実施すると良いが、（１）と（２）の間で実施する態様、（１）の前で実施する態様、及び（５）と（６）の間で実施する態様を本発明の範囲から除外するものでは無い。ここで、上記（７）の工程において、前記中間部支持体４１の前記中間部支持体受け部５１への設置は、クレーンの操作者と、該中間部支持体受け部５１の近傍にいる作業者とが共同して行えば良く、前記先端部支持体４０の前記先端部支持体受け部５０への設置は、クレーンの操作者と、該先端部支持体受け部５０の近傍にいる作業者とが共同して行えば良い。また、前記中間部支持体４１の前記中間部支持体受け部５１への設置を先に行い、次に、前記先端部支持体４０の前記先端部支持体受け部５０への設置を行うようにすると良い。さらに、前記クレーンは、前記先端部支持体４０及び前記中間部支持体４１において少なくとも３箇所を吊り上げるようにし、前記先端部支持体４０の先端に取り付けるワイヤにはワイヤ巻き取り装置（電動チェーンブロックや電動ウィンチなど）８を介装させておいて、該装置によってワイヤを送り出すことによって該先端部支持体４０の先端が降下するようにしておくと良い。またさらに、前記アンカー体長部３０及び前記自由長部３１の前記アンカー孔１ａへの挿入は、前記アンカーテンドン基台５に取り付けたウィンチ等（図４(ｂ) の符号６参照）で行うようにすると良い。なお、以上の説明では、１つのアンカー孔１ａにつき１本のアンカーテンドン３を挿入することを前提としているが、上述した各種装置を使用して１つのアンカー孔１ａに複数本のアンカーテンドン３（つまり、束にした状態の複数本のアンカーテンドン３）を挿入するようにしても良い。
【００３５】
また、上述の中間部支持体４１の上面には、図６(ａ) に詳示するように、ガイド部（本明細書においては「中間部側ガイド部」とする）４１ａを形成しておいて、前記自由長部３１が長手方向（紙面垂直方向）に移動可能となるように該自由長部３１の少なくとも一部を該中間部側ガイド部４１ａによって支持するようにすると良い。また、図６(ｂ)
に詳示するように、前記アンカー体長部３０の少なくとも一側の面（具体的には、前記自由長部３１における前記中間部支持体４１に支持された側の面（つまり、該自由長部３１の下面）に連続する側の面）を支持するガイド部（本明細書においては「先端部側ガイド部」とする）４０ａを前記先端部支持体４０に設けておいて、該先端部側ガイド部４０ａによって前記アンカー体長部３０を長手方向（紙面垂直方向）に移動可能となるように支持するようにすると良い。これにより、前記自由長部３１は前記中間部側ガイド部４１ａに沿って移動し前記アンカー体長部３０は前記先端部側ガイド部４０ａに沿って移動するのでアンカーテンドン３を円滑にアンカー孔１ａに挿入することができる。なお、前記アンカーテンドン３の挿入時において、前記中間部側ガイド部４１ａには前記自由長部３１が載置されることとなるので該自由長部３１がその長手方向に移動する際には該自由長部３１は該中間部側ガイド部４１ａに常に接触していることとなるが、他方の先端部支持体４０の近傍では前記アンカー体長部３０や前記自由長部３１は略鉛直な方向に降ろされていくこととなるので、該アンカー体長部３０や該自由長部３１が前記先端部側ガイド部４０ａと接触しない状態もあり得る。また、前記先端部支持体４０は前記アンカー体長部３０の全体を保護するようにすることが好ましいが、該アンカー体長部３０の一部のみを保護するようにしたものを本発明の範囲から除外するものではない。同様に、前記中間部支持体４１は前記自由長部３１の全体を保護するようにすることが好ましいが、該自由長部３１の一部のみを保護するようにしたものを本発明の範囲から除外するものではない。さらに、前記先端部側ガイド部４０ａは前記アンカー体長部３０の全体を支持するようにしても該アンカー体長部３０の一部を支持するようにしても良く、前記中間部側ガイド部４１ａは前記自由長部３１の全体を支持するようにしても一部を支持するようにしても良い。
【００３６】
さらに、上述の先端部支持体４０と中間部支持体４１との連結部（図９(ａ) の符号Ｄ参照）は、それらの支持体４０，４１が所定角以上に（所定の曲率半径以下に）屈曲しないように構成しておくと良い。そのようにした場合には、前記アンカー体長部３０と前記自由長部３１との境界部分の損傷を防止することができる。なお、これらの先端部支持体４０や中間部支持体４１や連結部Ｄの詳細構造については後述する。
【００３７】
本発明によれば、前記アンカー体長部３０は前記先端部支持体４０により保護され、前記自由長部３１は前記中間部支持体４１により保護されているので、該アンカー体長部３０及び該自由長部３１の損傷を防止できる。また、前記先端部支持体４０と前記中間部支持体４１との連結部Ｄが所定角以上に屈曲しないように構成されているので、前記アンカー体長部３０と前記自由長部３１との境界部分の損傷も防止することができる。
【００３８】
一方、本発明に係るアンカーテンドン支持ユニット４はアンカーテンドン３を着脱可能に支持するものであって、該アンカーテンドン３は、図１(ａ) に示すように、並設された複数の緊張材（つまり、束を形成するように並べて設けられた複数のストランド）Ａ，…を有しており、アンカー体長部３０では、図１(ｂ)
に詳示するように、前記複数の緊張材Ａ，…の隙間にグラウト材Ｂが充填されていて該複数の緊張材Ａ，…が該グラウト材Ｂで固められた状態であり、自由長部３１では、該複数の緊張材Ａ，…がグラウト材Ｂで固められずに該緊張材Ａ，…の可撓性が保持された状態となっている。そして、本発明に係るアンカーテンドン支持ユニット４は、
・  前記自由長部３１の少なくとも一部を支持する中間部支持体４１と、
・  前記アンカー体長部３０の少なくとも一部を支持する先端部支持体４０と、
を備えている。また、前記中間部支持体４１は、撓みが所定の曲率半径以下にならないように構成された長尺の可撓性部材であって、その上面には中間部側ガイド部（図６(ａ) の符号４１ａ参照）が形成されていて、該中間部側ガイド部４１ａによって、前記自由長部３１の少なくとも一部をその長手方向に移動可能に支持するように構成されている。さらに、前記先端部支持体４０は、前記中間部支持体４１に連結された長尺の剛性部材であって、前記アンカー体長部３０の少なくとも一側の面（具体的には、前記自由長部３１における前記中間部支持体４１に支持された側の面（つまり、該自由長部３１の下面）に連続する側の面）を支持する先端部側ガイド部（図６(ｂ)
の符号４０ａ参照）を有している。またさらに、前記中間部支持体４１と前記先端部支持体４０との連結部（図９(ａ) の符号Ｄ参照）は、それらの支持体４０，４１が所定角以上に屈曲しないように構成されている。本発明によれば、前記アンカー体長部３０は前記先端部支持体４０により保護され、前記自由長部３１は前記中間部支持体４１により保護されているので、該アンカー体長部３０及び該自由長部３１の損傷を防止できる。また、前記先端部支持体４０と前記中間部支持体４１との連結部Ｄが所定角以上に屈曲しないように構成されているので、前記アンカー体長部３０と前記自由長部３１との境界部分の損傷も防止することができる。
【００３９】
ところで、上述した中間部支持体４１（つまり、前記アンカーテンドンの挿入方法や前記アンカーテンドン支持ユニット４で用いる中間部支持体４１）は、図７(ａ) (ｂ) に詳示するように、一対の外リンクプレート４１０の端部をピン４１１で連結した外リンク４１Ａと、端部が該ピン４１１により回転可能に支持された一対の内リンクプレート４１２により構成される内リンク４１Ｂと、を交互に配置して構成すると良い。その場合、前記外リンクプレート４１０の側に突出する突出部４１３を前記内リンクプレート４１２の側に設け、該突出部４１３に当接される２つの当接部４１４ａ，４１４ｂ（具体的には、前記内リンクプレート４１２が前記ピン４１１を中心として正逆両方向±Ｅに回転したそれぞれの場合に該突出部４１３に当接される２つの当接部４１４ａ，４１４ｂ）を設けておいて、両リンクプレート４１０，４１２の所定角以上の相対回転が制限されるようにすると良い。このような突出部４１３を各内リンクプレート４１２に設け、前記当接部４１４ａ，４１４ｂを各外リンクプレート４１０に設けることにより、中間部支持体４１が所定曲率半径以下に撓まないようにすることができる。なお、図７(ａ)
に示す例では、前記当接部４１４ａ，４１４ｂは、前記外リンクプレート４１０に穿設された長孔の両端縁であって、前記突出部４１３は、該長孔内を移動するように構成されているが、もちろんこれに限られるものではなく、所定角以上の相対回転を制限する当接部であれば、どのような形状であっても良い。また、前記内リンクプレート４１２の側に突出する突出部（不図示）を前記外リンクプレート４１０の側に設け、該突出部に当接される２つの当接部（具体的には、前記外リンクプレート４１０が前記ピン４１１を中心として正逆両方向±Ｅに回転したそれぞれの場合に該突出部に当接される２つの当接部（不図示））を前記内リンクプレート４１２の側に設けておいて、両リンクプレート４１０，４１２の所定角以上の相対回転が制限されるようにしても良い。さらに、前記ピン４１１にはローラー４１ａを回転自在に支持させておいて、該ローラー４１ａを前記中間部側ガイド部として使用すると良い。このローラー４１ａがローラーコンベヤとして機能することとなり、前記アンカーテンドン３を前記アンカー孔１ａに挿入する際には前記自由長部３１が該ローラー４１ａの上を移動することとなる。またさらに、前記中間部支持体４１のピン４１１は、前記一対の外リンクプレート４１０の両外側に突出するように配置しておいて（符号４１１ａ参照）、該突出した部分を介して該中間部支持体４１が支持されるように構成しておくと良い。また、前記中間部支持体４１のピン４１１であって前記一対の外リンクプレート４１０の両外側に突出した部分４１１ａの周方向に沿って窪み部（図６(ａ)
の符号４１１ｂ参照）を形成しておき（つまり、環状の溝部を形成しておき）、該窪み部４１１ｂを支持することによって前記中間部支持体４１の位置（つまり、ピン４１１の突出方向の位置）が規定されて横ずれを防止できるように構成しておくと良い。このピン４１１はアンカーテンドン基台５の中間部支持体受け部５１によって支持されることになるが、該中間部支持体受け部５１の詳細構造については後述する。
【００４０】
一方、上述した先端部支持体４０（つまり、前記アンカーテンドンの挿入方法や前記アンカーテンドン支持ユニット４で用いる先端部支持体４０）は鋼材で構成すると良く、前記先端部側ガイド部４０ａは、図６(ｂ) に詳示するように、前記アンカー体長部３０の少なくとも一部（好ましくは全体）を収容する溝部とすると良い。具体的には、Ｈ形鋼や溝形鋼を該先端部支持体４０として用いると良い。そして、前記アンカーテンドン３を前記アンカー孔１ａに挿入する際には、前記先端部側ガイド部４０ａに沿って前記アンカー体長部３０及び前記自由長部３１が移動するようにすると良い。また、前記先端部支持体４０が、前記中間部支持体４１のピン４１１が突出される方向と略平行な方向に突出された突起部４０１をその両側面にそれぞれ有するようにし、該突起部４０１を介して前記先端部支持体４０が支持されるように構成しておくと良い。この突起部４０１はアンカーテンドン基台５の中間部支持体受け部５０によって支持されることになるが、該中間部支持体受け部５０の詳細構造については後述する。
【００４１】
ところで、前記先端部支持体４０と前記中間部支持体４１との連結部Ｄは、それらの支持体４０，４１が所定角以上に屈曲しないように構成されている必要があるが、そのためには、前記先端部支持体４０と前記中間部支持体４１とをピン部材（不図示）によって連結してそれらの支持体４０，４１の相対回転が許容されるように構成すると共に、図７(ａ) (ｂ) に示す突出部４１３及び当接部４１４ａ，４１４ｂと同様のストッパ機構を該連結部Ｄに設けておいて、それらの支持体４０，４１の所定角以上の相対回転が制限されるようにすると良い。また、前記先端部支持体４０が前記中間部支持体受け部５０に保持される際に該先端部支持体４０の下方への所定距離の移動が許容されるように、該先端部支持体４０と前記中間部支持体４１との連結部Ｄにスライド機構を設けておくと良い。例えば、図９(ａ)
に示すように、該先端部支持体４０及び前記中間部支持体４１のいずれか一方の部材に長孔９ａを設けておき、他方の部材に、該長孔９ａに嵌装されて長孔内を摺動する部材（摺動部材）９ｂを設けてスライド機構とすると良い。
【００４２】
一方、本発明に係るアンカーテンドン基台５は、上述のアンカーテンドン支持ユニット４を着脱可能に保持するものであって、
・  前記中間部支持体４１のピン４１１（具体的には、前記一対の外リンクプレート４１０の両外側に突出した部分４１１ａ）を着脱可能に保持する中間部支持体受け部５１と、
・  前記突起部４０１を介して前記先端部支持体４０を、略鉛直な状態であって着脱可能に保持する中間部支持体受け部５０と、
を備えている。この中間部支持体受け部５１としては、図８に詳示するように、前記中間部支持体４１のピン４１１（具体的には、前記一対の外リンクプレート４１０の両外側に突出した部分）を受けるように構成された凹部を挙げることができる。この凹部５１を設ける間隔（該中間部支持体受け部５１に保持された前記中間部支持体４１の長手方向の間隔）ｐ１は、前記ピン４１１を設ける間隔（前記中間部支持体４１の長手方向の間隔）ｐ２と同じにする必要はなく、整数分の１の間隔としても良い。つまり、前記アンカーテンドン支持ユニット４は上述のようにクレーンで吊り上げられて搬送されるが、前記凹部５１の間隔を細かくしておくことで前記中間部支持体４１のピン４１１を該凹部５１に容易に設置することができ、その設置作業が簡単になるという効果を得ることができる。また、前記中間部支持体受け部５０としては、図９に詳示するように、前記突起部４０１を受けるように構成された凹部を挙げることができる。この凹部５０の面（つまり、前記突起部４０１を受ける前記中間部支持体受け部５０の凹部５０の面）は、一方が高くて他方が低くなるように傾斜して形成された面とし、前記先端部支持体４０の前記突起部４０１が前記面に沿って摺動しながら落ち込むように構成すると良い（図９(ｂ) の矢印Ｊ参照）。
【符号の説明】
【００４３】
１                    被補強体
１ａ                  アンカー孔
３                    アンカーテンドン
４                    アンカーテンドン支持ユニット
５                    アンカーテンドン基台
３０                  アンカー体長部
３１                  自由長部
４０                  先端部支持体
４０ａ                先端部側ガイド部
４１                  中間部支持体
４１ａ                中間部側ガイド部
４１Ａ                外リンク
４１Ｂ                内リンク
５０                  先端部支持体受け部
５１                  中間部支持体受け部
４０１                突起部
４１０                外リンクプレート
４１１                ピン
４１１ｂ              窪み部
４１２                内リンクプレート
４１３                突出部
Ａ，…                緊張材
Ｂ                    グラウト材
Ｃ                    巻き取りリール
Ｄ                    中間部支持体と先端部支持体との連結部
ｐ１                  中間部支持体受け部である凹部を設ける間隔
ｐ２                  中間部支持体のピンを設ける間隔
【図１】
0005730175.tif 000002
【図２】
0005730175.tif 000003
【図３】
0005730175.tif 000004
【図４】
0005730175.tif 000005
【図５】
0005730175.tif 000006
【図６】
0005730175.tif 000007
【図７】
0005730175.tif 000008
【図８】
0005730175.tif 000009
【図９】
0005730175.tif 000010
【図１０】
0005730175.tif 000011